(57)【要約】【課題】室外機と室内機を１対１で接続するシングル接続において、接続される室内機が仕様の異なる複数種類ある場合、仕様が異なっても最適な目標吐出温度になるように補正できるようにした空気調和機を提供する。【解決手段】凝縮器又は蒸発器としての室内熱交換器１５と、室外熱交換器１３と、四方弁１２と、圧縮機１１と、電子膨張弁１４と、電子膨張弁開度制御用室外機制御部１６とを備え、室外機制御部１６は、蒸発温度Ｔｅと凝縮温度Ｔｃと過熱度ＳＨを記憶する記憶手段２６と、これらＴｅと、Ｔｃと、ＳＨとから算出する理論サイクルの吐出温度Ｔｒｄ算出手段２８と、Ｔｒｄに誤差要因の補正値Ｔｈｄを加算する目標吐出温度Ｔｍｄ算出手段２９と、Ｔｍｄに、室内機形態による補正値Ｔｈｔを加算する最終目標吐出温度Ｔｍｄ２算出手段３４とからなり、前記圧縮機１１の吐出温度ＴｄがＴｍｄ２に近づくように、電子膨張弁１４の開度を調節する。【選択図】図１
2015068582.tif 000002
【特許請求の範囲】
【請求項１】
運転モードにより凝縮器又は蒸発器として作用する室内熱交換器と、同様の室外熱交換器と、運転モードを切換える四方弁と、冷媒の圧縮機と、絞り膨張用の電子膨張弁と、電子膨張弁の開度を制御する室外機制御部とを備えた空気調和機において、前記室外熱交換器に設けられた室外熱交温度センサと、前記室内熱交換器に設けられた室内熱交温度センサと、前記圧縮機に設けられた吐出温度センサとを具備し、前記室外機制御部は、前記蒸発器で検出された蒸発温度Ｔｅと前記凝縮器で検出された凝縮温度Ｔｃとからモリエル線図上で冷凍サイクルが最適となるように、実験により求められた過熱度ＳＨを記憶する記憶手段と、前記蒸発温度Ｔｅと、前記凝縮温度Ｔｃと、前記過熱度ＳＨとを用いて理論サイクルの吐出温度Ｔｒｄを算出する算出手段と、前記吐出温度Ｔｒｄに、圧縮機効率、熱損失の誤差要因を、前記凝縮温度Ｔｃと前記圧縮機の運転しているときの回転数Ｎにより算出した補正値Ｔｈｄを加算して目標吐出温度Ｔｍｄを算出する算出手段と、さらに、前記目標吐出温度Ｔｍｄに、室内機形態による補正値Ｔｈｔを加算して前記圧縮機の最終目標吐出温度Ｔｍｄ２を算出する算出手段とからなり、前記圧縮機の吐出温度Ｔｄが前記最終目標吐出温度Ｔｍｄ２に近づくように、前記電子膨張弁の開度を調節するように制御することを特徴とする空気調和機。
【請求項２】
室内機形態による補正値Ｔｈｔは、少なくとも室内機熱交容量Ｙに基づいて算出することを特徴とする請求項１記載の空気調和機。
【請求項３】
室内機形態による補正値Ｔｈｔは、室内機熱交容量Ｙと室内機風量Ｈに基づいて算出することを特徴とする請求項１記載の空気調和機。
【発明の詳細な説明】
【技術分野】
【０００１】
本発明は、室外機に、仕様の異なった室内機を接続した場合においても冷凍サイクルを最適に制御できるようにした空気調和機に関するものである。
【背景技術】
【０００２】
空気調和機の制御において、低コスト機種では、圧縮機の吐出側に吐出管温度センサを有するが、室内熱交入口管温度と圧縮機の吸入管温度とを検出するためのセンサを用いていないので、圧縮機の吸入管温度と吐出管温度とから圧縮機の回転数や電子膨張弁の開度を決定できない。そのため、圧縮機の目標吐出温度を算出し、実際の吐出温度を目標吐出温度に近づけるように電子膨張弁の開度を制御するものが提案されている（特許文献１）。
【０００３】
この特許文献１に記載されている従来の空気調和機の制御方法を図５ないし図７に基づき説明する。
図５において、（Ｓ１）〜（Ｓ８）は、従来の工程を示している。なお、（Ｔ１）〜（Ｔ６）は、本発明によって付加された工程を示しており、後述する。
図６において、１は圧縮機、２は四方弁、３は室外熱交換器、４は電子膨張弁、５は室内熱交換器、６は室外機制御部、７は室内機制御部、８は圧縮機吐出温度センサ、９は室外熱交換器温度センサ、１０は室内熱交換器温度センサである。
図５のフローチャートの中の従来の工程（Ｓ１）〜（Ｓ８）を用いて従来の空気調和機の制御方法を説明する。
（Ｓ１）冷房運転モード又は暖房運転モードが指定されると、四方弁２を冷房側又は暖房側に切換えて、圧縮機１を設定温度、室内温度等で決まる所定の回転数Ｎで動作させることにより、冷房運転又は暖房運転が開始される。
（Ｓ２）冷房運転又は暖房運転が開始されると、前記圧縮機１の回転数Ｎと、前記室外熱交換器温度センサ９及び室内熱交換器温度センサ１０により検出される蒸発温度Ｔｅと凝縮温度Ｔｃが前記室外機制御部６に入力される。
（Ｓ３）前記蒸発温度Ｔｅと凝縮温度Ｔｃが変化すると、図７に示すモリエル線図上で設定した冷凍サイクルが最適（即ち、設計時に意図した冷凍サイクルと同等に動作する冷凍サイクル）となる過熱度ＳＨも変化するので、これらＴｅ、Ｔｃに対応したＳＨとなるように図７の点Ａ（低圧蒸気飽和点）を予め実験等により求めて、それをメモリに記憶しておく。そして、実測したＴｅ、Ｔｃに対応した最適なＳＨをメモリから引き出すことにより点Ａが求められる。
【０００４】
（Ｓ４）前記蒸発温度Ｔｅと凝縮温度Ｔｃと過熱度ＳＨにそれぞれ一定の係数を乗算し、これらを次式で加算することにより、理論サイクルの吐出温度Ｔｒｄを算出する。
Ｔｒｄ＝ａ・Ｔｅ＋ｂ・Ｔｃ＋ｃ・ＳＨ（ａ、ｂ、ｃは係数）        （１）
（Ｓ５）前記圧縮機１の回転数Ｎと凝縮温度Ｔｃにそれぞれ一定の係数を乗算し、これらを次式で加算することにより、補正値Ｔｈｄを算出する。
Ｔｈｄ＝ｄ・Ｎ＋ｅ・Ｔｃ（ｄ、ｅは係数）                        （２）
これらの式（１）（２）において、ａ、ｂ、ｃ、ｄ、ｅは、実験で定めた吐出温度と理論サイクル吐出温度Ｔｒｄとを一致させるために予め算出した係数である。
（Ｓ６）前記理論サイクルの吐出温度Ｔｒｄに補正値Ｔｈｄを次式で加算することにより、図７に示す吐出温度の目標値Ｔｍｄを算出する。
Ｔｍｄ＝Ｔｒｄ＋Ｔｈｄ                                          （３）
【０００５】
（Ｓ７）前記吐出温度センサ８の検出する吐出温度Ｔｄを前記室外機制御部６に入力し、ＴｄはＴｍｄか？を判断する。
（Ｓ８）当該吐出温度Ｔｄが目標吐出温度Ｔｍｄと異なっていれば、当該吐出温度Ｔｄが目標吐出温度Ｔｍｄに近づく方向に、即ち、ｆ・（Ｔｄ−Ｔｍｄ）が０に近づく方向に電子膨張弁４の開度を調節する（ｆは電子膨張弁４の開度を調整するためのパルス数に変換するための係数）。
また、吐出温度は熱交換器の大きさの影響を受けるため、運転能力（能力クラス）に応じて目標吐出温度を補正し、実際の吐出温度を目標吐出温度に近づけるように膨張弁を制御するものが開示されている（特許文献２）。
【先行技術文献】
【特許文献】
【０００６】
【特許文献１】特開２００３−１５６２４４号公報。
【特許文献２】特開平１１−２１８３４８号公報。
【発明の概要】
【発明が解決しようとする課題】
【０００７】
特許文献１の空気調和機は、室外機に接続される室内機の形態や運転能力が変わらないことを前提とされたものであり、特許文献２のように運転能力だけに応じて目標吐出温度を補正しても次のような課題がある。
室内機の形態には、壁掛けタイプ、ダクトタイプ、天井カセットタイプ等があり、それぞれ使用状態や構造が異なり、室内の壁面に設置される壁掛けタイプでは、他のタイプと比べて室内熱交換は通風が良好な室内環境に設置され、ダクトタイプは、高温になりやすい天井内に設置されているため室内熱交換器は天井内の熱の影響を受けやすく、天井カセットタイプは中央に吸込口を有し、吸込口の外周に吹出口を有し、室内熱交換器は天井内で筐体に覆われているため、熱が籠りやすく熱の影響受けやすい構造となっている。また、壁掛けタイプの室内機は、室内の壁面に取り付けられ、室内機の上方から吸込んだ室内空気を冷媒と熱交換して下方、または前方に吹出し、室内全体を空調する。ダクトタイプの室内機は、天井面のダクトにより室内空気を吸い込み、冷媒と熱交換して天井面のダクトにより室内に吹出し、室内全体を空調する。天井カセットタイプの室内機は、天井面に取り付けられ、中央の吸込口より室内空気を吸い込み、冷媒と熱交換して吸込口の外周に設けられた吹出口より吹出し、室内全体を空調する。
【０００８】
また、壁掛けタイプの室内機は、室内に配置されることから、小型化が求められ、小型化に伴い熱交換器が小さくなるため、送風量を多くして熱交換量の低下を補っている。
このように、室内機の形態により、熱交換器が周囲から受ける熱の影響や構造、設置された場所の違いがあるが、どのタイプの室内機を使用しても使用者が快適となるようにするため、同じ能力の室内機であっても室内機の形態により熱交換器の大きさと風量が異なるようにしている。
そのため、室外機にダクトタイプの室内機を接続して圧縮機の目標吐出温度を能力に応じて補正し、実際の吐出温度が近づくように膨張弁の開度を調整する空気調和機に、接続される室内機が能力が同じでも形態の異なる室内機、例えば、壁掛けタイプを接続し、冷房運転を開始する場合、ダクトタイプの室内熱交換器の凝縮温度を使用して算出された目標吐出温度は、最適な目標吐出温度ではないため、実際の圧縮機の吐出温度を目標吐出温度に近づけるように膨張弁の開度を調整する際に適正な調整ができない。
また、暖房運転時に、一方の熱交容量、送風量が大きな室内機を接続して吐出温度を目標設定温度に近づけるように膨張弁を制御するものに、もう一方の熱交容量、風量が小さな室内機を接続する場合、室内機の凝縮圧が上昇し易くなる。その結果、吐出温度が高めの設定となり、電子膨張弁の絞りすぎによる過負荷保護が働き、断続運転になってしまったり、凝縮器出口が過冷却領域になってしまう場合があり、適正な制御ができない、という問題点があった。
【０００９】
本発明は、室外機と室内機を１対１で接続するシングル接続において、接続される室内機が仕様の異なる複数種類ある場合、仕様が異なっても最適な目標吐出温度になるように補正できるようにした空気調和機を提供することを目的とするものである。
【課題を解決するための手段】
【００１０】
本発明は、運転モードにより凝縮器又は蒸発器として作用する室内熱交換器１５と、同様の室外熱交換器１３と、運転モードを切換える四方弁１２と、冷媒の圧縮機１１と、絞り膨張用の電子膨張弁１４と、電子膨張弁の開度を制御する室外機制御部１６とを備えた空気調和機において、前記室外熱交換器１３に設けられた室外熱交温度センサ１８と、前記室内熱交換器１５に設けられた室内熱交温度センサ２０と、前記圧縮機１１に設けられた吐出温度センサ２２とを具備し、前記室外機制御部１６は、前記蒸発器で検出された蒸発温度Ｔｅと前記凝縮器で検出された凝縮温度Ｔｃとからモリエル線図上で冷凍サイクルが最適となるように、実験により求められた過熱度ＳＨを記憶する記憶手段２６と、前記蒸発温度Ｔｅと、前記凝縮温度Ｔｃと、前記過熱度ＳＨとを用いて理論サイクルの吐出温度Ｔｒｄを算出する算出手段２８と、前記吐出温度Ｔｒｄに、圧縮機効率、熱損失の誤差要因を、前記凝縮温度Ｔｃと前記圧縮機１１の運転しているときの回転数Ｎにより算出した補正値Ｔｈｄを加算して目標吐出温度Ｔｍｄを算出する算出手段２９と、さらに、前記目標吐出温度Ｔｍｄに、室内機形態による補正値Ｔｈｔを加算して前記圧縮機１１の最終目標吐出温度Ｔｍｄ２を算出する算出手段３４とからなり、前記圧縮機１１の吐出温度Ｔｄが前記最終目標吐出温度Ｔｍｄ２に近づくように、前記電子膨張弁１４の開度を調節するように制御することを特徴とする。
【００１１】
室内機形態による補正値Ｔｈｔは、少なくとも室内機熱交容量Ｙに基づいて算出することを特徴とする。
【００１２】
室内機形態による補正値Ｔｈｔは、室内機熱交容量Ｙと室内機風量Ｈに基づいて算出することを特徴とする。
【発明の効果】
【００１３】
請求項１記載の発明は、運転モードにより凝縮器又は蒸発器として作用する室内熱交換器と、同様の室外熱交換器と、運転モードを切換える四方弁と、冷媒の圧縮機と、絞り膨張用の電子膨張弁と、電子膨張弁の開度を制御する室外機制御部とを備えた空気調和機において、前記室外熱交換器に設けられた室外熱交温度センサと、前記室内熱交換器に設けられた室内熱交温度センサと、前記圧縮機に設けられた吐出温度センサとを具備し、前記室外機制御部は、前記蒸発器で検出された蒸発温度Ｔｅと前記凝縮器で検出された凝縮温度Ｔｃとからモリエル線図上で冷凍サイクルが最適となるように、実験により求められた過熱度ＳＨを記憶する記憶手段と、前記蒸発温度Ｔｅと、前記凝縮温度Ｔｃと、前記過熱度ＳＨとを用いて理論サイクルの吐出温度Ｔｒｄを算出する算出手段と、前記吐出温度Ｔｒｄに、圧縮機効率、熱損失の誤差要因を、前記凝縮温度Ｔｃと前記圧縮機の運転しているときの回転数Ｎにより算出した補正値Ｔｈｄを加算して目標吐出温度Ｔｍｄを算出する算出手段と、さらに、前記目標吐出温度Ｔｍｄに、室内機形態による補正値Ｔｈｔを加算して前記圧縮機の最終目標吐出温度Ｔｍｄ２を算出する算出手段とからなり、前記圧縮機の吐出温度Ｔｄが前記最終目標吐出温度Ｔｍｄ２に近づくように、前記電子膨張弁の開度を調節するように制御したので、室外機と室内機を１対１で接続するシングル接続において、接続される室内機の種類が複数あり、これらの室内機の種類によって熱交容量、風量、形態等の仕様が異なる場合、一方の室内機を接続した場合の暖房時に、最適な吐出温度に制御しつつ、もう一方の熱交容量、風量、形態等の異なる室内機を接続した場合、凝縮圧を機種に応じて適正な制御ができる。したがって、従来のような吐出温度が高めの設定となったり、電子膨張弁の絞りすぎになったり、過負荷保護で断続運転となってしまったり、凝縮器出口が過冷却領域になってしまうような不都合を防止し、複数の室内熱交換器毎の適正な制御ができる。
【００１４】
請求項２記載の発明は、室内機形態による補正値Ｔｈｔは、少なくとも室内機熱交容量Ｙに基づいて算出したので、室内機熱交容量Ｙの異なる機種を接続する場合、圧縮機の回転数を変動させる等の容量制御を行うことなく接続することができる。
【００１５】
請求項３記載の発明は、室内機形態による補正値Ｔｈｔは、室内機熱交容量Ｙと室内機風量Ｈに基づいて算出したので、室内機熱交容量Ｙと室内機風量Ｈの異なる機種を接続する場合、これら熱交容量Ｙと風量Ｈを機種毎に変動することなく接続することができる。
【図面の簡単な説明】
【００１６】
【図１】本発明による空気調和機を説明するためのブロック図である。
【図２】本発明の空気調和機を説明するための冷媒回路図である。
【図３】（ａ）は、室内熱交換器の機種（熱交容量）毎の使用風量−熱交容量テーブル、（ｂ）は、各ステップ毎の補正係数テーブルである。
【図４】室内熱交換器の機種（熱交容量）毎の使用風量と補正値の関係を示す特性図である。
【図５】空気調和機の制御方法を示すフローチャートで、（Ｓ１）〜（Ｓ８）は、従来の工程を示し、（Ｔ１）〜（Ｔ６）は、付加された本発明の工程を示している。
【図６】従来の空気調和機の制御方法を説明するための冷媒回路図である。
【図７】冷凍サイクルが最適となる過熱度ＳＨを設定するためのモリエル線図である。
【発明を実施するための形態】
【００１７】
本発明は、室内熱交換器１５と、室外熱交換器１３と、四方弁１２と、圧縮機１１と、電子膨張弁１４と、電子膨張弁の開度を制御する室外機制御部１６とを備え、冷房と暖房の運転モードの切り替え可能な空気調和機において、前記室外機制御部１６は、過熱度ＳＨを記憶する記憶手段２６と、理論サイクルの吐出温度Ｔｒｄを算出する算出手段２８と、吐出温度Ｔｒｄに、補正値Ｔｈｄを加算して目標吐出温度Ｔｍｄを算出する算出手段２９と、目標吐出温度Ｔｍｄに、室内機形態による補正値Ｔｈｔを加算して最終目標吐出温度Ｔｍｄ２を算出する算出手段３４とからなり、前記圧縮機１１の吐出温度Ｔｄが前記最終目標吐出温度Ｔｍｄ２に近づくように、前記電子膨張弁１４の開度を調節するように制御することを特徴とする。
【００１８】
室内機形態による補正値Ｔｈｔは、少なくとも室内機熱交容量Ｙに基づいて算出する。
【００１９】
室内機形態による補正値Ｔｈｔは、室内機熱交容量Ｙと室内機風量Ｈに基づいて算出する。
【実施例１】
【００２０】
本発明による空気調和機の一実施例を図１及び図２により説明する。
図２は、本発明の空気調和機に用いられる冷媒回路を示すもので、室外機４０に、室内機４１が接続された冷媒回路を示している。
より詳しくは、室外機４０は、圧縮機１１と、四方弁１２と、室外熱交換器１３と，電子膨張弁１４とからなり、この電子膨張弁１４が室内機４１の室内熱交換器１５に一端側に配管接続され、この室内熱交換器１５の他端側が前記四方弁１２に配管接続される。
この冷媒回路において、冷房運転時には、圧縮機１１で可逆断熱圧縮されて吐出された冷媒は、四方弁１２の点線で表された流路を経て、凝縮器として作用する室外熱交換器１３の凝縮過程で放熱し、電子膨張弁１４の絞り膨張過程で低圧湿り蒸気となり、室内機４１の蒸発器として作用する室内熱交換器１５で湿り蒸気が蒸発し外気から吸熱して冷房として機能し、低圧飽和蒸気となって前記四方弁１２の点線流路を経て前記圧縮機１１の吸入側に戻るように循環する冷凍サイクルが構成されている。
暖房運転時は、四方弁１２を実線の流路に切換えることにより、圧縮機１１で可逆断熱圧縮されて吐出された冷媒は、室内機４１の凝縮器として作用する室内熱交換器１５の凝縮過程で蒸気が凝縮し放熱して暖房として機能し、電子膨張弁１４の絞り膨張過程で低圧湿り蒸気となり、室外機４０の蒸発器として作用する室外熱交換器１３で湿り蒸気が蒸発し外気から吸熱して低圧飽和蒸気となって前記四方弁１２の実線流路を経て前記圧縮機１１の吸入側に戻るように循環する冷凍サイクルが構成されている。
また、室外熱交換器１３には、図示しない室外ファンが、また、室内熱交換器１５には、図示しない室内ファンがそれぞれ配置されている。
【００２１】
室外機４０には、室外機固有の機種情報の他、温度、風量等の検出データを記憶したメモリを内蔵した室外機制御部１６と室外機熱交換器１３の温度を検出する室外熱交温度センサ１８と外気温を検出する外気温センサ１９が設けられている。
室内機４１には、形態や運転能力等の室内機固有の情報（以降、機種情報とする）を記憶したメモリを内蔵した室内機制御部１７と、室内熱交換器の温度を検出する室内熱交温度センサ２０と、室内温度を検出する室温センサ２１が設けられている。
この室内機制御部１７は、室内機４１と室外機４０を接続することで、室外機４０の前記室外機制御部１６に接続され、室内機制御部１７内のメモリに予め記憶された室内機の機種情報や検出された温度データが室外機制御部１６に送られる。
前記圧縮機１１には、吐出温度センサ２２が設けられている。
また、室外機制御部１６には、圧縮機１１の吐出温度センサ２２等のセンサ類と、電子膨張弁１４、四方弁１２、圧縮機１１が接続されて弁開度、弁切換え、回転数制御等が行われる。
【００２２】
本発明による作用を図１乃至図５に基づき説明する。
図１は、前記室外機４０の室外機制御部１６を示しており、従来回路３６に、本発明付加回路３７を付加したものである。
本発明でも一部採用している図１の従来回路３６の工程（Ｓ１）〜（Ｓ６）をまず説明する。
（Ｓ１）冷房運転モード又は暖房運転モードが指定されると、室外機制御部１６からの指令により四方弁１２を冷房側又は暖房側に切換えて、圧縮機１１を設定温度、室内温度等から決まる所定の回転数Ｎで動作することにより、冷房運転又は暖房運転が開始される。
（Ｓ２）冷房運転又は暖房運転が開始されると、回転数センサ２３から室外機制御部１６に入力された設定温度、室内温度等の情報に基づき前記圧縮機１の回転数Ｎが出力される。
図１において、
・蒸発温度Ｔｅセンサ２４からは、蒸発温度Ｔｅが出力されるが、暖房時には、蒸発器として機能する室外熱交換器１３の室外熱交温度センサ１８で検出された蒸発温度Ｔｅが出力され、また、冷房時には、蒸発器として機能する室内熱交換器１５の室内熱交温度センサ２０で検出された蒸発温度Ｔｅが出力される。
・凝縮温度Ｔｃセンサ２５からは、凝縮温度Ｔｃが出力されるが、暖房時には、凝縮器として機能する室外熱交換器１３の室外熱交温度センサ１８で検出された凝縮温度Ｔｃが出力され、また、冷房時には、凝縮器として機能する室内熱交換器１５の室内熱交温度センサ２０で検出された凝縮温度Ｔｃが出力される。
（Ｓ３）最適過熱度ＳＨ記憶手段２６からは、前記蒸発温度Ｔｅと凝縮温度Ｔｃが変化すると、図７に示すモリエル線図上で設定した冷凍サイクルが最適となる過熱度ＳＨも変化するので、これらＴｅ、Ｔｃに対応した最適なＳＨとなるように図７の点Ａ（低圧蒸気飽和点）を予め実験等により求めて、それを最適過熱度ＳＨ記憶手段２６に記憶しておく。そして、実測したＴｅ、Ｔｃに対応した最適なＳＨを最適過熱度ＳＨ記憶手段２６から引き出す。
【００２３】
（Ｓ４）理論吐出温度Ｔｒｄ算出手段２８では、前記蒸発温度Ｔｅと凝縮温度Ｔｃと過熱度ＳＨにそれぞれ一定の定数を乗算し、これらを次式で加算することにより、理論サイクル時の吐出温度Ｔｒｄを算出する。
Ｔｒｄ＝ａ・Ｔｅ＋ｂ・Ｔｃ＋ｃ・ＳＨ（ａ、ｂ、ｃは係数）        （１）
（Ｓ５）補正値Ｔｈｄ算出手段２７では、前記回転数Ｎと凝縮温度Ｔｃにそれぞれ一定の係数を乗算し、これらを次式で加算することにより、補正値Ｔｈｄを算出する。
Ｔｈｄ＝ｄ・Ｎ＋ｅ・Ｔｃ（ｄ、ｅは係数）                        （２）
（Ｓ６）目標吐出温度Ｔｍｄ算出手段２９では、前記理論サイクル時の吐出温度Ｔｒｄに前記補正値Ｔｈｄを次式で加算することにより、吐出温度の目標値Ｔｍｄを算出する。
Ｔｍｄ＝Ｔｒｄ＋Ｔｈｄ                                          （３）
以上、（Ｓ１）〜（Ｓ６）までは、従来回路３６にて求められる。
【００２４】
次に本発明付加回路３７による動作を説明する。
（Ｔ１）室外機４０に室内機４１が予め接続されている。
（Ｔ２）室内熱交換器１５の室内機制御部１７に予め記憶されていた室内機設定風量（設定風量から認識）Ｈが室外熱交換器１３の室外機制御部１６の室内機風量記憶手段３０に送られ、この室内機風量記憶手段３０から室内機設定風量Ｈが出力される。
この室内機設定風量Ｈは、室内機４１を室外機４０に接続すると自動的に室内機制御部１７から室外機制御部１６に送るようにしてもよいが、室外機４０に接続可能な室内機４１の機種が予め決められているような場合には、室内機４１を室外機４０に接続するとその機種を判別し、予め室外熱交換器１３の室外機制御部１６に機種毎に記憶されていた情報を用いるようにしてもよい。
【００２５】
同様に、室内熱交換器１５の室内機制御部１７に予め記憶されていた室内機熱交容量（固有容量）Ｙが室外熱交換器１３の室外機制御部１６の熱交容量記憶手段３１に送られ、この熱交容量記憶手段３１から熱交容量Ｙが出力される。
この室内機熱交容量Ｙは、室内機４１を室外機４０に接続すると自動的に室内機制御部１７から室外機制御部１６に送るようにしてもよいが、室外機４０に接続可能な室内機４１の機種が予め決められているような場合には、室内機４１を室外機４０に接続するとその機種を判別し、予め室外熱交換器１３の室外機制御部１６に機種毎に記憶されていた情報を用いるようにしてもよい。
前記工程（Ｔ２）において、例えば、図３（ａ）に示すように、熱交容量Ｙの大きさ＋ア、＋イ、＋ウ、…と、使用風量Ｈの大きさ＋Ａ、＋Ｂ、＋Ｃ、…とを関連付けして、ＳＴＥＰ１、ＳＴＥＰ２、ＳＴＥＰ３、…と設定し、ＳＴＥＰが進むにつれて図３（ｂ）に示すように、補正係数が次第に大きくなるように設定して記録しておき、これらの情報を用いるようにする。
【００２６】
前記補正値Ｔｈｔと室内機設定風量Ｈは、図４に示すように、風量Ｈが大きくなるとＳＴＥＰ１、ＳＴＥＰ２、ＳＴＥＰ３、…と補正係数が次第に大きくなり補正値Ｔｈｔもそれに比例して大きくなる。また、熱交容量Ｙも同様に大きくなると、ＳＴＥＰ１、ＳＴＥＰ２、ＳＴＥＰ３、…と補正係数が次第に大きくなり補正値Ｔｈｔもそれに比例して大きくなる。
具体的には、補正値Ｔｈｔと室内機設定風量Ｈが小さい場合、吐出温度Ｔｄを低くするように補正する。また、補正値Ｔｈｔと室内機設定風量Ｈが大きい場合、吐出温度Ｔｄを高くするように補正する。
【００２７】
（Ｔ３）室内機風量出力部３０と熱交容量Ｙ出力部３１の出力は、加算部３２を介して補正値Ｔｈｔ演算部３３に送られ次の演算が行われ、室内機形態による補正値Ｔｈｔが得られる。
Ｔｈｔ＝ｆ・Ｙ＋ｇ・Ｈ＋ｈ（ｆは、電子膨張弁４の開度を調整するためのパルス数に変換するための係数で、ｇ、ｈは、実験で定めた吐出温度と理論サイクル吐出温度Ｔｒｄとを一致させるために予め算出した係数である。）
【００２８】
（Ｔ４）この補正値Ｔｈｔが加算部３４で前記吐出温度の目標値Ｔｍｄに加算されて本発明の目標吐出温度Ｔｍｄ２が次式によって求められる。
Ｔｍｄ２＝Ｔｒｄ＋Ｔｈｄ＋Ｔｈｔ＝Ｔｍｄ＋Ｔｈｔ
【００２９】
（Ｔ５）前記吐出温度センサ２２の検出する吐出温度Ｔｄを膨張弁開度制御部３５に入力し、ＴｄはＴｍｄか？を判断する。
【００３０】
（Ｔ６）当該吐出温度Ｔｄが吐出温度の目標値Ｔｍｄ２と異なっていれば、室外機制御部１６の出力により当該吐出温度Ｔｄが目標吐出温度Ｔｍｄ２に近づく方向に、即ち、ｆ・（Ｔｄ−Ｔｍｄ２）が０に近づく方向に電子膨張弁４の開度を調節する（ｆは電子膨張弁４の開度を調整するためのパルス数に変換するための係数である）。
【００３１】
以上のような構成とすることにより、室外機と室内機を１対１で接続するシングル接続において、接続している室内熱交換器の種類が複数ある場合、これらの室内熱交換器の種類によって熱交容量、風量、形態等の仕様（設定風量Ｈ及び室内機固有の熱交容量Ｙ）が異なっていても、目標吐出温度の制御に対応することができる。
【００３２】
前記実施例では、１台の室内熱交換器１５として説明したが、複数台の室内熱交換器１５ａ、…１５ｎを有する場合において、これらの複数台の室内熱交換器１５ａ、…１５ｎは、送られてきた機種等の情報を室外機制御部１６で判別してそれぞれの電子膨張弁１４ａ、…１４ｎを個々に制御するようにしてもよい。
【符号の説明】
【００３３】
１１…圧縮機、１２…四方弁、１３…室外熱交換器、１４…電子膨張弁、１５…室内熱交換器、１６…室外機制御部、１７…室内機制御部、１８…室外熱交温度センサ、１９…室外熱交風量センサ、２０…室内熱交温度センサ、２１…室内熱交風量センサ、２２…吐出温度センサ、２３…回転数センサ、２４…蒸発温度Ｔｅ検出部、２５…凝縮温度Ｔｃ検出部、２６…最適過熱度ＳＨ検出部、２７…補正値Ｔｈｄ演算部、２８…理論吐出温度Ｔｒｄ演算部、２９…目標吐出温度Ｔｍｄ演算部、３０…室内機風量出力部、３１…熱交容量Ｙ出力部、３２…加算部、３３…補正値Ｔｈｔ演算部、３４…加算部、３５…膨張弁開度制御部、３６…従来回路、３７…本発明回路、４０…室外機、４１…室内機。
【図１】
2015068582.tif 000003
【図２】
2015068582.tif 000004
【図３】
2015068582.tif 000005
【図４】
2015068582.tif 000006
【図５】
2015068582.tif 000007
【図６】
2015068582.tif 000008
【図７】
2015068582.tif 000009